(57)【要約】【課題】従来の遮光板を開閉するアイピース蓋は、ファインダ視野（構図）を決めた後に遮光板を開閉操作するため、その際にカメラが動き、構図が変わった。【解決手段】本発明は、ファインダの接眼枠に装着することにより、遮光部に開口された開口部を通じて構図を確認し、接眼側からの逆入射する光を減少させて、露出条件決定後に測光装置への影響を防止するカメラのアイピース蓋である。【選択図】　　図１
2004145131.tif 000002
【特許請求の範囲】
【請求項１】
ファインダ内に被写体像の明るさを測光する測光装置を有するカメラのファインダ接眼枠に装着可能で、上記ファインダ接眼枠内へ逆入射する光を防ぐ遮光部と、ファインダ視野内を確認可能とするため、上記遮光部に小さな開口部と、を有することを特徴とするカメラのアイピース蓋。
【請求項２】
上記アイピース蓋は、着磁されていることを特徴とする上記請求項１記載のカメラのアイピース蓋。
【請求項３】
上記アイピース蓋の上記開口部を塞ぐ遮光部材が上記着磁により磁力により吸着され、上記開口部を通過する光を遮光することを特徴とする上記請求項２記載のカメラのアイピース蓋。
【発明の詳細な説明】
【０００１】
【発明の属する技術分野】
本発明は、カメラのファインダの接眼側から逆入射する光を遮光するカメラのアイピース蓋に関する。
【０００２】
【従来の技術】
一般に、カメラで被写体を撮影する場合、撮影者は手でカメラをホールドしてファインダを覗き込み、ピント合わせや画角調整を行った後、シャッタを挿下して撮影している。この時、ファインダの接眼側は撮影者の目により覆われた状態となるため、接眼側からの逆入射する光は少ない。
【０００３】
しかし、撮影者が被写体となったり、風景写真などを撮影する場合には、三脚等を用いてカメラを固定し、撮影者はファインダから離れたり、覗かずにリモコンやリモートケーブルを用いて撮影している。また、顕微鏡や望遠鏡などの光学機器の接眼レンズ側にカメラを取り付けて撮影する場合などは、手ぶれを防ぐために、ファインダから目を離してリモートケーブルやリモコンを用いて撮影している。
【０００４】
このようにファインダの接眼側から目を離した場合、この接眼側から光が入り込むと、測光装置の測光値に影響を与えて、露出条件が変わり写真に悪影響を及ぼす虞がある。これに対して、例えば、特許文献１には、開閉自在な遮光板を取り付けたアイピースが開示されている。遮光板で透孔を塞ぐことにより、ファインダ接眼側からの光が入射しないように遮光している。
【０００５】
【特許文献１】
実公昭３３−５０５８号公報、第１頁及び図面
【０００６】
【発明が解決しようとする課題】
しかし、特許文献１に開示したような遮光板を開閉するタイプは、一度ファインダを覗いて、ファインダ視野（構図）を決めた後に遮光板を開閉操作するため、その操作の際にカメラが動いたりして構図が変わってたり、構図の変化からフィルムに到達する光量が変化してしまう場合がある。
【０００７】
特に、顕微鏡写真等の高倍率に拡大された微細な写真を撮影する場合には、構図の僅かなずれが大きな問題となる。
【０００８】
そこで本発明は、カメラのファインダ接眼に逆入射する光を遮光し、且つファインダ視野の確認が可能なカメラのアイピース蓋を提供することを目的とする。
【０００９】
【課題を解決するための手段】
本発明は上記目的を達成するために、ファインダ内に被写体像の明るさを測光する測光装置を有するカメラのファインダ接眼枠に装着可能で、上記ファインダ接眼枠内へ逆入射する光を防ぐ遮光部と、ファインダ視野内を確認可能とするため、上記遮光部に小さな開口部とを有するカメラのアイピース蓋を提供する。
【００１０】
以上のような構成のアイピース蓋は、ファインダの接眼枠に装着することにより、開口部を通じて接眼側からの逆入射する光を減少させ、露出条件決定後に測光装置への影響を防止する。
【００１１】
【発明の実施の形態】
以下、図面を参照して本発明の実施形態について詳細に説明する。
図１には本発明のカメラのアイピース蓋に係る第１の実施形態の外観構成を示し説明する。図１（ａ）はカメラのファインダ接眼枠に装着する側（裏側）の外観構成を示し、図１（ｂ）には、図１（ａ）の背面であり、眼球と対向する側からみた外観を示す図である。
【００１２】
このアイピース蓋１は、カメラのファインダ接眼枠にカメラの上から差し込んで装着するように、一方の壁部（長辺側下方）が削除された矩形のキャップ形状を成しており、両短辺の内側には、装着用のスリット溝２が形成されている。また、アイピース蓋１の中央には、構図確認用の開口部３が開口されている。この開口部３以外は遮光部となっている。外観側には、開口部３を中心として近傍からテーパー状に削り取られた円錐形の凹部４が形成されている。この開口部３の開口は、ファインダ視野が接眼枠に対し目を振りながらでも何とか確認できる大きさがあればよい。
【００１３】
ここで、この開口部３の開口の大きさについて説明する。
【００１４】
写真用語事典（日本カメラ出版社）に文献記載よれば、露出に対する許容範囲の狭いカラーリバーサルフィルムの露出のラチチュードは、実験結果から大凡、＋２／３段（ＥＶ）から−１段（ＥＶ）程度である。仮に、接眼枠の接眼レンズに均等に、被写体側から撮影レンズに入射した光と同量の光量が入射し、その入射光が均等に焦点板に配光されたとすると、露光量として１段分は測光素子に余計な光が入射することとなり、上記開口（本願発明のファインダ蓋に設けられる穴）の大きさｆｍｍ２は、接眼枠自身の開口大きさＦｍｍ２に対し、上記−１段という露出アンダーラチチュード側を考慮して、ｆ≦Ｆにしなければならない。但し、これはあくまでも撮影レンズが有する絞りの実効有効径が上記接眼枠自身の開口に等しいと仮定したときの場合であって、更にこれ以外の諸条件もあり、実際は様々な場合がある。通常、一眼レフカメラは、撮影レンズの絞り開放径でその測光動作を行うため、実際の絞り動作が８段分行われたとすると、ｆ≦Ｆ／２５６が望ましい。今、仮に接眼枠自身の開口面積が１５０ｍｍ２とすると、ｆは、０．５８ｍｍ２であり、それが丸穴とすると、その直径は約０．９ｍｍとなる。
【００１５】
また、この開口を大きくする場合には、ファインダ面積（接眼面）の大きさに依存しており、昼日光（フィルムにおけるデイライト）において、通常のファインダ接眼側から逆入射する光が数ＥＶ程度、好ましくは−１〜−２ＥＶ程度に低下するような大きさの開口を行う。この例では、円形の開口を例としているが、この形状は矩形でもよく、特に限定されるものではない。
【００１６】
このアイピース蓋１は、例えば、着磁された鉄粉等を含有する樹脂や着磁可能な材料から形成される。勿論、永久磁石片を開口部３の近傍に入れ込んでもよい。
【００１７】
図２には、このアイピース蓋がファインダの接眼枠に装着されたカメラの断面構成を示している。
カメラ１１内部には、被写体像光を集光する撮影光学系１２と、フィルムや電子撮像素子（例えば、ＣＣＤ）１３の前方に配置され、被写体像の光路を切り換える可動メインミラー１４と、可動メインミラー１４に上方に反射された被写体像を結像する焦点板１５と、その上方に配置され、結像された被写体像をファインダ光学系１６に導くペンタプリズム１７と、露出をするために被写体像の測光を行う測光光学系１８及び測光素子部１９とが備えられている。
【００１８】
また、カメラ外部裏面側のファインダの周囲には、接眼枠２０が設けられており、この接眼枠２１にアイピース蓋１が装着されている。このアイピース蓋１は、図３に示すように、上方から、接眼枠２０に設けられた嵌合用リブ２１にスリット溝２の凹が合うように差し込まれている。
【００１９】
このような構成により、撮影者は開口部３からファインダを覗き撮影される構図を確認して、カメラから離れたリモコン撮影を行う。ファインダに開口部３から入射する逆入射光以外を遮光することにより、写真への影響を低減することができる。特に、開口部３から入射する光の影響は比較的少なくなるため、撮影にはほとんど問題を生じない。また、撮影の実験により、露出補正をかけてもよい。また、従来のように、遮光板を開閉操作することがないため、一度決定した構図が変化することなく撮影を行うことができる。
【００２０】
しかし、撮影時に開口部３から直射日光や照明光が直接入射する状態となってしまった場合には、図４及び図５に示すように、鋼球やプラスチック球からなる遮光部材２２を着磁されたアイピース蓋１の凹部４のテーパ面に磁力を利用して吸着させて、開口部３を塞ぐこともできる。尚、プラスチック球は、例えば金属粉を含有したり、磁気に反応（吸着）する材料を含んで形成されてもよい。
このような構成により、カメラの姿勢がどのような状態であっても、この球状部材が開口を塞ぐことができ、また、自由に開口を覗くことができるようになる。
【００２１】
以上説明したように、本実施形態によれば、アイピース蓋をファインダの接眼枠に装着することにより、接眼側からの逆入射する光を減少させて、写真への悪影響を防止することができる。また、遮光板を用いていないため、構図決定の後にカメラに触ることがなく、カメラの位置ずれを発生させることがない。
【００２２】
次に第２の実施形態について説明する。
前述した第１の実施形態においては、アイピース蓋に開口部を開口して、ファインダ視野を確認したが、本実施形態は、開口部の開口を大きくして、ある程度の光を反射し残りを透過するハーフミラーや減光作用する透過部材（ガラスや樹脂）を嵌め込んで構成される。
【００２３】
図６に示すように、アイピース蓋３１の開口部３２に透過部材３３を嵌め込む。
【００２４】
この透過部材３３における光の透過の度合いを調整することにより、開口の大きさを自由に設けることができる。つまり、開口部３２の開口を大きくする場合には、透過部材３３における単位面積当たりの減光量を多くすればよい。反対に開口部３２の開口部を小さくするほど、透過部材３３を透明に近づけて減光量を少なくする。
【００２５】
以上説明した本実施形態によれば、アイピース蓋３１の構図確認用穴３２の大きさに応じて、透過の度合いが調整された透過部材３３を嵌め込むことにより、開口部３２の大きさが自由に設定できる。
【００２６】
以上の実施形態について説明したが、本明細書には以下のような発明も含まれている。
【００２７】
（１）ファインダ内に被写体像の明るさを測光する測光装置を有するカメラのファインダ接眼枠に装着可能で、上記ファインダ接眼枠内へ逆入射する光を防ぐ遮光部と、ファインダ視野内を確認可能となるように上記遮光部に開口された開口部と、を有することを特徴とするカメラのアイピース蓋。
【００２８】
（２）上記アイピース蓋は、磁性材料から形成されていることを特徴とする上記（１）項に記載のアイピース蓋。
【００２９】
（３）上記アイピース蓋は、着磁されていることを特徴とする上記（２）項に記載のアイピース蓋。
【００３０】
（４）ファインダ内に被写体像の明るさを測光する測光装置を有するカメラにおいて、
上記カメラのファインダ接眼枠に装着可能で、上記ファインダ接眼枠内へ逆入射する光を防ぐ遮光部と、
上記遮光部にファインダ視野内を確認可能な最小限の大きさで開口された開口部と、
上記開口部に嵌め込まれ、該開口部を通過する光量を減少させる透過部材と、を有することを特徴とするアイピース蓋。
【００３１】
【発明の効果】
以上詳述したように本発明によれば、ファインダ接眼枠がアイピース蓋によって塞がれた状態でも容易にファインダ視野を確認できるカメラのアイピース蓋を提供することができる。
【図面の簡単な説明】
【図１】本発明のカメラのアイピース蓋に係る第１の実施形態の外観構成を示す図である。
【図２】第１の実施形態のアイピース蓋がファインダの接眼枠に装着されたカメラの断面構成を示す図である。
【図３】ファインダの接眼枠へのアイピース蓋の装着について説明するための図である。
【図４】アイピース蓋に設けられた開口部を塞ぐように装着された遮光部材の断面構成を示す図である。
【図５】アイピース蓋に設けられた開口部を塞ぐように装着された遮光部材を示す図である。
【図６】本発明のカメラのアイピース蓋に係る第２の実施形態の外観構成を示す図である。
【符号の説明】
１…アイピース蓋
２…スリット溝
３…開口部
４…凹部
１１…カメラ
１２…撮影光学系
１３…電子撮像素子
１４…可動メインミラー
１５…焦点板
１６…ファインダ光学系１６
１７…ペンタプリズム
１８…測光光学系
１９…測光素子部
２０…接眼枠
２１…嵌合用リブ
【図１】
2004145131.tif 000003
【図２】
2004145131.tif 000004
【図３】
2004145131.tif 000005
【図４】
2004145131.tif 000006
【図５】
2004145131.tif 000007
【図６】
2004145131.tif 000008